(57)【特許請求の範囲】
【請求項１】
壁等への取り付け具７を備えた支柱３と、前面に仮止めしたシップ薬６を背中に押し当てて貼り付けるシップ固定台4と、後頭部に押し当てて支柱３を背中中心に位置決めする後頭部当て２とを備え、支柱３の上部に後頭部当て2を設けると共にその下方にシップ固定台４を設け、後頭部当て2は前後方向へ移動自在に支柱３に弾性支持され、且つシップ固定台４よりも前方に突出し、シップ固定台4は左右方向の中央部が支柱３に固定され、且つ前面には中央部が高く左右両側が低くなる傾斜面が形成されていることを特徴とするシップ貼り具。
【請求項２】
支柱３のシップ固定台4の下方に前方に突出させて設け、股の間に挿入して支柱３を背中中心に位置決めする背中中心合わせ棒５を設けたことを特徴とする請求項１記載のシップ貼り具。
【発明の詳細な説明】
【技術分野】
【０００１】
本発明は貼り薬を自分自身では、手の届きにくい肩甲骨、背中などに貼る道具に関するものである。            
【背景技術】
【０００２】
上記記載の患部に貼り薬を貼る場合、腕などに障害のある人は誰かの手を借りなくては貼ることが困難であり、特に腕があがり難いお年寄りや、手  腕などに障害のある人たちには大変な作業である。
【先行技術文献】
【特許文献】
【０００３】
【特許文献１】特許３４４３５５７号公報
【特許文献２】特開２００４-２５５１４６号公報
【発明の概要】
【発明が解決しようとする課題】
【０００４】
特許文献１は、吸引するための装置の重量が、お年寄りや手に障害のある人たちには気になる点であり、又従来の貼り具は湾曲させたアーム形式、腕を持ち上げて肩越しに張る形式があるが、湾曲させた支持アームの先端に取り付けた貼り薬を患部に貼る動作が思う場所に貼りにくく、鏡を見ながら貼ると錯覚を起こし余計に斜めになり、思う場所に貼れなかったり、斜めになったりしてお年寄りには使いにくい。
【０００５】
特許文献２はローラー式で、面テープにくっつけて患部に貼る構造であるが、面テープはシップ薬布の繊維などの糸くず  ホコリなどがくっつき、すぐにシップ薬が固定できなくなる。又ローラー式も腕があがり難いお年寄りや手に障害のある人たちには貼りにくい。
【課題を解決するための手段】
【０００６】
請求項1の発明は、壁への取り付け具７を備えた支柱３と、前面に仮止めしたシップ薬６を背中に押し当てて貼り付けるシップ固定台４と、後頭部に押し当てて支柱３を背中中心に位置決めする後頭部当て2とを備え、支柱３の上部に後頭部当て2を備えると共にその下方にシップ固定台4を設け、後頭部当て2は前後方向へ移動自在に支柱３に弾性支持され、且つシップ固定台４よりも前方に突出し、シップ固定台4は左右方向の中央部が支柱3に固定され、且つ前面には中央部が高く左右両側が低くなる傾斜面が形成されていることを特徴とするものである。
【０００７】
請求項２に記載の発明は、支柱３のシップ固定台４の下方に前方に突出させて設け、股の間へ挿入して支柱３を背中中心に位置決めする、背中中心合わせ棒５を設けたことを特徴とするものである。
【発明の効果】
【０００８】
請求項1の構成により、シップ貼り具の支柱３の上部に設けた後頭部当て２に後頭部を合わせて、後頭部と背中を後方に押し付けるだけで、手の届き難い肩、肩甲骨など貼りたい位置にシップ薬６を貼ることができる。
【０００９】
また、シップ固定台４の前面は中央部が高く左右両側が低くなる傾斜面が形成されているので、背筋のくぼみにもしっかりと貼り付けることができる。
【００１０】
更に、後頭部当て２をシップ固定台４よりも前方に突出させ且つ前後方向へ移動自在に弾性支持をすることで、背中中央を合わせるときに、シップ薬６に触れずに背中中心を合わせられる。
【００１１】
しかも、支柱３の壁等への取り付け具7を設けているので紐を付けて平面な壁などに掛けることにより、置き場所も必要なく、掃除などのときも邪魔にならない。
【００１２】
請求項２の構成により、支柱３を背中中央により確実に位置決めができ、シップ薬６を貼りたい位置に正確に貼ることができる。
【図面の簡単な説明】
【００１３】
【図１】本発明の実施例を示す正面図
【図２】同上の側面図
【図３】図１のＡ-Ａ’の断面図。
【発明を実施するための形態】
【００１４】
本発明の実施形態を図面に基づいて説明する。
【００１５】
図１は、本発明のシップ貼り具の全体構成図(正面図)であり、シップ貼り具１は、支柱３の上部に後頭部当て２と、後頭部当て２の下方にシップ固定台４を構成し、支柱３の下部に背中中心合わせ棒５を設けている。  
【００１６】
図２は図１の側面図で、シップ固定台４の前面は中央部が高く左右両側が低くなる傾斜面で形成されその形状の表面の任意の箇所にシップ薬６を仮止めできる。
【００１７】
後頭部当て２はクッションボール２Ａ、バネ２Ｂ 及びバネ収納筒２Ｃからなり、支柱３の上部に筒状のバネ収納筒２Ｃを備え、その中にバネ２Ｂを設けており、後頭部を当てるクッションボール２Ａはバネ２Ｂの一端と接続され、他端はバネ収納筒２Ｃの底である支柱３に取り付けてあり、後頭部当て２は後頭部をクッションボール２Ａに当てたときにシップ固定台４に仮止めしたシップ薬６に触れないように前に突出している。
【００１８】
また、背中中心合わせ棒５を設けることにより正確に位置決めできる。
背中中心合わせ棒５は支柱３の下部から前方に突出させた突起であり、後頭部を後頭部当て２に当て、さらに、背中中心合わせ棒５を股の間に挟むことにより、後頭部当て２だけでは背中中心の位置決めが充分でないときに正確に位置決めできる。
【００１９】
図３は、シップ固定台の断面図を示す。
シップ固定台４は平板４Ａ  クッション４Ｂ  シップ固定板４Ｃからなり、図３に示すように平板４Ａに、スポンジ  ウレタンなど弾力性のある素材でシップ固定板４Ｃと同じ構造の、前面は中央部が高く左右両側が低くなる傾斜面を形成したクッション４Ｂを取り付け、その表面にクッション４Ｃを覆い被せている。
【００２０】
シップ貼り具１を壁などの平らな箇所に、壁掛け用の穴7を壁側のフックにぶら下げる。また紐などでぶら下げてもよい。ぶら下げる高さは、人が立ったときに後頭部が、シップ貼り具１の後頭部当て２の高さになるように調整する。
【００２１】
湿布を貼るときは、予めシップ固定板４Ｃに一か所又は複数個所の貼りたい位置に湿布を両面テープ、磁石、ジェルパッドなどで仮止めする。
湿布を貼る人は、壁などに取り付けたシップ貼り具１の前に、背中合わせに立ち後頭部が後頭部当て２のクッションボールに当たるように立ち位置合わせを行う。
位置合わせが終わると、湿布を貼る人は、後頭部と背中を後方に押し付ける。
後頭部当て２のクッションボール２Ａが、バネ２Ｂを押し縮めることで後方に移動し、背中と湿布とが当接し、湿布を背中に貼ることができる。
【００２２】
シップ貼り具を壁などに取り付けることにより置き場所をとることも無く、また掃除のときも移動させることもない。
【符号の説明】
【００２３】
1     シップ貼り具
２    後頭部当て
２Ａ  クッションボール
２Ｂ  バネ
２Ｃ  バネ収納筒
３    支柱
４    シップ固定台
４Ａ  平板
４Ｂ  クッション
４Ｃ  シップ固定板
５    背中中心合わせ棒
６    シップ薬                        
７    壁掛け用の穴（取り付け具）
【図１】
0005613892.tif 000002
【図２】
0005613892.tif 000003
【図３】
0005613892.tif 000004